(57)【要約】【課題】特別な部材を追加することなしに遮光羽根を高速駆動しても、羽根同士の衝突や引っかかりが無い、スムーズな駆動が可能な光量調節装置や、このような光量調節装置を搭載した撮像装置を提供する。【解決手段】光を通過する開口部を有する地板と、地板に回動自在に支持されて、開口部の面積を変化させる複数の遮光羽根と、遮光羽根を駆動する駆動手段とを有し、それぞれの遮光羽根は、駆動手段により他の遮光羽根と端部が交差するように重なり合いながら、開口部の面積を減少させる方向に回動し、遮光羽根同士が交差する端部には、面取りおよびＲ付けの少なくとも一方が設けられている。【選択図】図１
2011076041.tif 000002
【特許請求の範囲】
【請求項１】
光を通過する開口部を有する地板と、前記地板に回動自在に支持されて、前記開口部の面積を変化させる複数の遮光羽根と、前記遮光羽根を駆動する駆動手段とを有し、前記それぞれの遮光羽根は、前記駆動手段により他の遮光羽根と端部が交差するように重なり合いながら、少なくとも前記開口部の面積を減少させるように回動し、前記遮光羽根同士が交差する端部には、面取り及びＲ付けの少なくとも一方が設けられていることを特徴とする光量調節装置。
【請求項２】
前記遮光羽根同士が交差する端部の面取り及びＲ付けの少なくとも一方は、前記遮光羽根の他の端部の面取り及びＲ付けの少なくとも一方より大きいことを特徴とする、請求項１に記載の光量調節装置。
【請求項３】
前記遮光羽根同士が交差する端部の面取り及びＲ付けの少なくとも一方は、前記遮光羽根の両方の端部の稜線部に設けられていることを特徴する、請求項１に記載の光量調節装置。
【請求項４】
前記遮光羽根同士が交差する端部の面取り及びＲ付けの少なくとも一方は、前記遮光羽根の交差する端部の厚み方向の全域において連続して設けられていることを特徴とする、請求項１から請求項３のいずれか１項に記載の光量調節装置。
【請求項５】
請求項１から請求項４のいずれか１項に記載の光量調節装置を具備することを特徴とする撮像装置。
【発明の詳細な説明】
【技術分野】
【０００１】
本発明はデジタルカメラ等の光学機器に用いられる光量調節装置、及びそれを搭載した撮像装置に関するものである。
【背景技術】
【０００２】
光量調節装置を備えたスチルカメラ、ビデオカメラなどの光学機器では、高性能化と小型化が進み、そこで使用される光量調整装置においても高性能化および小型化の要求が強く求められるようになった。その結果、例えば特許文献１のような光量調節装置では、小型化のために従来のシャッタのような遮光羽根の先端部同士のオーバーラップをやめて、２枚の遮光羽根の互いの開口形成縁部が、回転中心側から羽根先端側に向けて一箇所だけで順次交差するようにしている。
【０００３】
また例えば特許文献２のような複数の遮光羽根が開閉揺動して開口領域の面積を制御し、光量を調節する虹彩型光量調節装置においても、羽根の重なり方を工夫して絞りの高速駆動に対応している。
【先行技術文献】
【特許文献】
【０００４】
【特許文献１】特開２００１−２７２７１１
【特許文献２】特開２００３−００５２４８
【発明の概要】
【発明が解決しようとする課題】
【０００５】
前述の特許文献１のような構成の場合、通常では各シャッタ羽根の開口形成縁部は、閉じるときにお互いが衝突しないように、回転中心に近い位置から順次重なるように工夫されている。しかし図１２，図１３に示すように、遮光羽根は通常シート状のロール材から打ち抜き加工によって製作されるため湾曲しており、高速で駆動すると衝突して遮光羽根が損傷し、動作が不安定になったり、破損に至る可能性があった。これを防止するために、図１４のようにそれぞれの遮光羽根の間に仕切り２０を入れる構成もあるが、この場合は光量調節装置として光軸方向に厚くなり、装置の小型化に支障をきたす。
【０００６】
また、特許文献２のような構成の場合も、複数の遮光羽根が相互に重なり揺動する際に、羽根同士が重なり合う面が引っかかりを生じ、切りムラやヒステリシスを生じる可能性があった。
【０００７】
本発明はこのような問題点を解決するためのものであり、その目的は特別な部材を追加することなしに高速駆動しても、絞り羽根同士の衝突や引っかかりが無い、スムーズな駆動が可能な光量調節装置や、このような光量調節装置を搭載した撮像装置を提供することである。
【課題を解決するための手段】
【０００８】
本発明の光量調節装置は、光を通過する開口部を有する地板と、地板に回動自在に支持されて、開口部の面積を変化させる複数の遮光羽根と、遮光羽根を駆動する駆動手段とを有し、それぞれの遮光羽根は、駆動手段により他の遮光羽根と端部が交差するように重なり合いながら、少なくとも開口部の面積を減少させるように回動し、遮光羽根同士が交差する端部には、面取り及びＲ付けの少なくとも一方が設けられていることを特徴としている。
【発明の効果】
【０００９】
以上のような構成とすることにより、部材を追加する特別なスペースを必要とせず、シャッタ羽根や絞り羽根を高速駆動しても、羽根同士の衝突や引っかかりが無い、スムーズな駆動が可能な光量調節装置や、このような光量調節装置を搭載した撮像装置を提供することが可能となる。
【図面の簡単な説明】
【００１０】
【図１】第１の実施例のシャッタの平面図。
【図２】図１のシャッタ羽根２の平面図及び断面図。
【図３】図１のシャッタ羽根３の平面図及び断面図。
【図４】図１のシャッタ羽根の重なりが逆となったものの平面図。
【図５】図４のシャッタ羽根５の平面図及び断面図。
【図６】図４のシャッタ羽根６の平面図及び断面図。
【図７】図１のシャッタ羽根の干渉の様子。
【図８】第２の実施例の虹彩絞りであり、羽根の重なりをエンドレスにしたタイプの平面図。
【図９】図８の絞り羽根の平面図及び断面図。
【図１０】第２の実施例の虹彩絞りであり、羽根の重なりがエンドレスでないタイプの平面図。
【図１１】各実施例の光量調節装置を使用した撮像装置の内部構造を模式的に表す断面図。
【図１２】シャッタ羽根２の打ち抜きによる湾曲状態の平面図及び側面図。
【図１３】シャッタ羽根３の打ち抜きによる湾曲状態の平面図及び側面図。
【図１４】間に仕切りを入れたシャッタ羽根の断面図。
【発明を実施するための形態】
【００１１】
以下、本発明の実施形態を図面を参照しながら詳細に説明する。
【実施例１】
【００１２】
本発明の実施形態として、以下にシャッタにおける本発明による実施例を、図面を参照しながら詳細に説明する。図１は本実施のシャッタの平面図であり、図２、図３はそれぞれ図１に示すシャッタ羽根２、３の平面図と面取り方向を示した断面図である。なお、本実施形態のシャッタ装置は、カメラ本体に着脱可能なレンズ装置（光学機器）やカメラが内蔵された携帯電子機器（携帯電話、電子機器）等にも搭載することができる。
【００１３】
図１は本実施例のシャッタを示しており、地板４の略中央部に設けられた、撮像光学系を通過して撮像素子に結像する光を通過させる開口部であるアパーチャ１は、遮光羽根であるシャッタ羽根２、３によって開閉される。シャッタ羽根の駆動は、図１においてシャッタ羽根２，３の地板４を挟んで反対側の面に配置された、ムービングマグネット式アクチュエータと称される、例えば特開２００６−０１１２９３に公知のアクチュエータで駆動される。このアクチュエータは、２極（Ｎ極とＳ極）に着磁されたロータマグネットと、このロータマグネットの外周に配置されたステータヨークとを有し、電磁コイルへの通電によりロータマグネットを所定の範囲で往復回転運動させる。駆動部はこのような構成に限定されるわけではなく、同様の往復運動が可能なものであれば同様に採用することができる。
【００１４】
ロータマグネットは、シャッタ羽根２，３が配置された側に地板４を貫通して延伸した駆動ピンを有し、この駆動ピンがシャッタ羽根２，３に設けられた長孔であるレバー穴２ｂ，３ｂと嵌合する。シャッタ羽根２，３は、一端に設けられた丸穴である回転軸穴２ａ，３ａが、地板４に設けられたそれぞれの回転軸に回動自在に支持されている。そしてシャッタ羽根２，３は前述のレバー穴２ｂ，３ｂがロータマグネットにより往復駆動されることにより、回転軸穴２ａ，３ａを中心に往復回転運動をする。回転軸穴２ａ，３ａが支持される回転中心軸はアパーチャ１に関して同じ側に位置しており、シャッタ羽根２，３は、図２，図３に示すような形状をしているので、図１に示すように、お互いが一点で交差しながらアパーチャ１の面積を変化させるように開閉する。
【００１５】
本実施例においては、シャッタ羽根２、３がアパーチャ１を閉じるあるいは面積を減少させる際に相互が重なる端部２ｃ，３ｃには、図２、図３に示す面取りが施されている。この面取りは、端部２ｃ，３ｃ以外の端部に加工上形成されるダレなどによる面取り形状より大きい形状とする。
そのため、図１２、図１３のようにシャッタ羽根が製造時に湾曲したり、高速動作によって変形しながら回動して、遮光羽根同士が衝突しそうになっても、図７のように面取り部同士がスライダーの役割を果たし、それぞれの羽根はスムーズに所定の方向に移動して行く。これにより面取りが無い場合に比べ羽根の損傷を低減することができ、シャッタスピードのばらつきやシャッタ精度の低下を防ぐことができる。
【００１６】
また、図２，図３に示す直線的な面取りの変わりに、Ｒ付けされた形状であっても同様の効果をもたらす。Ｒ付けされた形状とは、前記図２，図３のシャッタ羽根の端部２ｃ，３ｃの斜面が連続した曲線で構成されたような形状を言い、この曲線の途中に直線部が含まれても実質的には同様の効果がもたらされるので、この形状の範囲に含まれる。この場合のＲの半径は、最小でも遮光羽根の厚み以上であることが望ましい。
【００１７】
図１に示すようにシャッタ羽根が重なって配置されている場合はそれぞれの羽根に施す面取りは図２、３に示すものとなる。また、図４に示すようにシャッタ羽根の重なりが図１の逆となっている場合、それぞれの羽根に施す面取りは図２，３に示す方向とは逆となり、図５，６に示すものとなる。
【００１８】
なお、図１、図４のいずれの場合においても面取りを施すシャッタ羽根はどちらか一方とすることが可能である。例えば、シャッタ羽根の重なりが図１の場合において、シャッタ羽根２の端部２ｃ面に図２に示す面取りを施す場合には、シャッタ羽根３の端部３ｃ面に図３に示す面取りを施すことが望ましくはあるが、シャッタ羽根３の３ｃ面に面取りを施さないことも可能である。それらの場合でも本発明におけるシャッタ羽根同士の衝突防止という目的は達成することができる。
同様に、シャッタ羽根の重なりが図４の場合においては、逆の関係となることにより同様の効果が得られることは言うまでもない。
【００１９】
また、面取りの形状は、本実施例においては遮光羽根の厚み方向の全域において、遮光羽根の一方の平面の稜線から他方の平面の稜線に向けて、連続的に傾斜するように構成した。すなわち、互いの羽根の端面同士が衝突したとき、図７に示すように面取り部同士がスライダーの役割を果たすような関係となるような面取りとする。
【００２０】
本実施例においては、面取りは遮光羽根の厚み方向の全域に渡って設けたが、全域でなくとも互いの羽根が対向する面側の稜線を含む、遮光羽根の厚みの半分以上に渡る範囲に面取りがあれば、ほぼ同様の効果が期待できる。また面取りは完全な面取り形状でなくとも、例えば稜線部などがＲとなっていても同様の効果が得られる。
【実施例２】
【００２１】
以下に本発明の他の実施形態として、虹彩絞りにおける本発明の実施例を示す。図８は本実施の虹彩絞りの平面図であり、図９は図８に示す絞り羽根７〜１２の平面図および断面図である。略中央部に開口部であるアパーチャを持つ地板及び駆動部は実施例１と同様なので省略している。図８の絞り羽根７〜１２は、不図示の駆動部材からの駆動力を伝達する不図示の伝達部材と係合する伝達部材軸孔７ａ〜１２ａを有する。また、同じく不図示の地板に設けられた軸部材と一端が回動自在に係合して、地板に対して相対的な変位を行う為の絞り羽根回転軸孔７ｂ〜１２ｂを有する。そして伝達部材を介して伝達される駆動部材の移動を受けて、絞り羽根７〜１２が地板の軸部材を軸として変位し、絞り羽根により形成される開口領域の面積を変化させる。
【００２２】
絞り羽根はプラスチックフィルムを芯材として、炭素繊維強化プラスチック等で補強した樹脂シート材の打ち抜きや、樹脂の金型成形により作られている。駆動部としては、一般にステッピングモータが用いられる。
【００２３】
絞り羽根７〜１２は、それぞれの絞り羽根の両側において他の羽根と重なり合い、その端面の両方の稜線部には図９に示すように面取りが施されている。本実施例における面取りは、絞り羽根の縁部１３に、より具体的には縁部１３の、絞り羽根の両端面側および絞り羽根の駆動方向について両方向側に施されている。また、この面取りは、縁部１３以外、すなわち羽根回転軸孔７ｂ〜１２ｂや伝達部材軸孔７ａ〜１２ａを形成する縁の部分に加工上形成されるダレなどによる面取り形状より大きい形状とする。
これによってそれぞれの絞り羽根が重なり合うとき、面取り部同士がスライダーの役割を果たす。これにより、絞り羽根が軸部材を軸として変位し、開口領域の面積を制御する際に羽根同士の引っかかりを防ぐことができ、良好な絞り切りムラおよびヒステリシス特性を得ることが可能となる。
【００２４】
図９のように本実施例では、１３ａと１３ｃ側、１３ｂと１３ｄ側のように、面取りを羽根同士が重なり合う面両方に施してあるが、これを片面のみの面取りとしてもよく、面取りを施さない場合より良い絞り特性を得ることができる。また、面取りを、１３ｃ，１３ｄのように、各絞り羽根の両方またはいずれか一方の端面側に設けた場合、さらに画質劣化の原因となる羽根端面での反射が低減されフレアーなどに効果がある。
【００２５】
図８の虹彩絞りはエンドレスと称される、すべての羽根が同じ重なり方をしたものであるが、図１０に示すエンドレスでないタイプの虹彩絞りにおいても本発明は有効である。尚、図１０において各部分の説明は図８と同様なので省略する。
【実施例３】
【００２６】
以下に、本発明の他の実施形態として、本発明による光量調節装置を備えた本発明による撮像装置の実施形態について説明する。図１１は、実施例１または実施例２のシャッタ羽根または絞り羽根を使用した光量調節装置を搭載した撮像装置である。被写体の映像は撮像光学系２１を通り、シャッタ装置または絞り装置２３により通過光量を制御されて撮像素子２２上に結像する。
【００２７】
撮像装置は、撮像素子２２を使用して画像を電子的に記録できるものなので、記録を消去すれば何度でも取り直しが可能となる。そのため光量調節装置の繰り返し耐久回数は以前の銀塩フィルムを使用するカメラに比較して飛躍的に増加している。また、撮像素子の高感度化により、シャッタ速度の高速化の要求も高い。そのためこれらの光量調節装置に使用されているシャッタ羽根もしくは絞り羽根は、繰り返し動作回数や、駆動速度の高速化が求められる。そこで本実施例のように、光量調節装置２３に実施例１または実施例２のシャッタ羽根もしくは絞り羽根を使用することにより、この要求に答えることができる。
【符号の説明】
【００２８】
１    アパーチャ
２、３、５、６    シャッタ羽根      
４    地板
７、８、９、１０、１１、１２    絞り羽根
１４、１５、１６、１７、１８、１９      絞り羽根
２０ 仕切り
２１ 撮像光学系
２２ 撮像素子
【図１】
2011076041.tif 000003
【図２】
2011076041.tif 000004
【図３】
2011076041.tif 000005
【図４】
2011076041.tif 000006
【図５】
2011076041.tif 000007
【図６】
2011076041.tif 000008
【図７】
2011076041.tif 000009
【図８】
2011076041.tif 000010
【図９】
2011076041.tif 000011
【図１０】
2011076041.tif 000012
【図１１】
2011076041.tif 000013
【図１２】
2011076041.tif 000014
【図１３】
2011076041.tif 000015
【図１４】
2011076041.tif 000016